(57)【要約】【課題】空気調和機から冷媒漏れが生じたとき短時間に換気できる空気調和システムを提供する。【解決手段】空気調和システム１０は、空気調和機１１、冷媒センサ２６、換気装置１２、及びコントローラ３６を備え、換気装置１２が、熱交換器３２、空調対象空間の内外を熱交換器を経由して連通させる第１給気風路４７及び第１排気風路４６、空調対象空間の内外を熱交換器を経由せずに連通させる第２給気風路４８、第１給気風路４７及び第２給気風路４８を介して空調対象空間外の空気を空調対象空間内に供給する給気ファン３４、第１排気風路４６を介して空調対象空間内の空気を空調対象空間外へ排出させる排気ファン３３、及び第１給気風路４７及び第２給気風路４８を開閉する給気用開閉機構５５を備え、コントローラ３６は、冷媒センサ２６の冷媒漏洩の検出により、第１給気風路４７及び第２給気風路４８の双方を開くように給気用開閉機構５５を制御する。【選択図】図６
2020186822.tif 000002
【特許請求の範囲】
【請求項１】
冷媒との熱交換により調和空気を生成し空調対象空間に供給する空気調和機（１１）と、前記冷媒の漏れを検出する冷媒センサ（２６）と、前記空調対象空間の換気を行う換気装置（１２）と、前記換気装置（１２）を制御するコントローラ（３６）と、を備え、
前記換気装置（１２）が、熱交換器（３２，８６，８９）と、前記空調対象空間の内部と外部とを前記熱交換器（３２，８６，８９）を経由して連通させる第１給気風路（４７）及び第１排気風路（４６）と、前記空調対象空間の内部と外部とを前記熱交換器（３２，８６，８９）を経由せずに連通させる第２給気風路（４８）と、前記第１給気風路（４７）及び前記第２給気風路（４８）を介して前記空調対象空間外の空気を前記空調対象空間内に供給する給気ファン（３４）と、前記第１排気風路（４６）を介して前記空調対象空間内の空気を前記空調対象空間外へ排出させる排気ファン（３３）と、前記第１給気風路（４７）及び前記第２給気風路（４８）を開閉する給気用開閉機構（５５，８３）と、を備え、
前記コントローラ（３６）は、前記冷媒センサ（２６）が冷媒の漏洩を検出したとき、前記第１給気風路（４７）及び前記第２給気風路（４８）の双方を開くように前記給気用開閉機構（５５，８３）を制御する、空気調和システム。
【請求項２】
前記換気装置（１２）が、前記空調対象空間の内部と外部とを前記熱交換器（３２，８６，８９）を経由せずに連通させかつ前記排気ファン（３３）により前記空調対象空間内の空気を前記空調対象空間外へ排出させる第２排気風路（４９）と、前記第１排気風路（４６）及び前記第２排気風路（４９）を開閉する排気用開閉機構（５６，８４）と、を備え、
前記コントローラ（３６）は、前記冷媒センサ（２６）が冷媒の漏洩を検出したとき、前記第１排気風路（４６）及び前記第２排気風路（４９）の双方を開くように前記排気用開閉機構（５６，８４）を制御する、請求項１に記載の空気調和システム。
【請求項３】
冷媒との熱交換により調和空気を生成し空調対象空間に供給する空気調和機（１１）と、前記冷媒の漏れを検出する冷媒センサ（２６）と、前記空調対象空間の換気を行う換気装置（１２）と、前記換気装置（１２）を制御するコントローラ（３６）と、を備え、
前記換気装置（１２）が、熱交換器（３２，８６，８９）と、前記空調対象空間の内部と外部とを前記熱交換器（３２，８６，８９）を経由して連通させる第１給気風路（４７）及び第１排気風路（４６）と、前記空調対象空間の内部と外部とを前記熱交換器（３２，８６，８９）を経由せずに連通させる第２排気風路（４９）と、前記第１給気風路（４７）を介して前記空調対象空間外の空気を前記空調対象空間内に供給する給気ファン（３４）と、前記第１排気風路（４６）及び前記第２排気風路（４９）を介して前記空調対象空間内の空気を前記空調対象空間外へ排出する排気ファン（３３）と、前記第１排気風路（４６）及び前記第２排気風路（４９）を開閉する排気用開閉機構（５６，８４）と、を備え、
前記コントローラ（３６）は、前記冷媒センサ（２６）が冷媒の漏洩を検出したとき、前記第１排気風路（４６）及び前記第２排気風路（４９）の双方を開くように前記排気用開閉機構（５６，８４）を制御する、空気調和システム。
【請求項４】
前記熱交換器（３２）が、全熱交換器である、請求項１〜３のいずれか１項に記載の空気調和システム。
【請求項５】
前記換気装置（１２）が、空気中の水分を吸着する吸着剤を担持する２つの前記熱交換器（８６，８９）と、前記各熱交換器（８６，８９）を経由する２系統の前記第１給気風路及び２系統の前記第１排気風路と、を備え、
前記コントローラ（３６）は、前記２系統の第１給気風路を交互に切り換えて開閉するように前記給気用開閉機構（５５，８３）を制御する、請求項１又は２に記載の空気調和システム。
【請求項６】
前記換気装置（１２）が、空気中の水分を吸着する吸着剤を担持する２つの前記熱交換器（８６，８９）と、前記各熱交換器（８６，８９）を経由する２系統の前記第１給気風路及び２系統の前記第１排気風路と、を備え、
前記コントローラ（３６）は、前記２系統の第１排気風路を交互に切り換えて開閉するように前記排気用開閉機構（５６，８４）を制御する、請求項２又は３に記載の空気調和システム。
【発明の詳細な説明】
【技術分野】
【０００１】
本開示は、空気調和システムに関する。
【背景技術】
【０００２】
特許文献１には、蒸気圧縮式の冷凍サイクルによって空調対象空間である室内の空調を行う空気調和機と、空調対象空間の換気を行う換気装置とを備えた空気調和システムが記載されている。この換気装置は、給気風路及び排気風路を有する筐体と、筐体の内部に設けられた全熱交換器、給気ファン、及び排気ファンとを備えている。全熱交換器は、給気ファンによって給気風路を流れる空気と、排気ファンによって排気風路を流れる空気とを全熱交換する。
【先行技術文献】
【特許文献】
【０００３】
【特許文献１】特開２０１５−１４３５９３号
【発明の概要】
【発明が解決しようとする課題】
【０００４】
上記のような空気調和システムにおいて、空気調和機から冷媒が漏れた場合には、短時間で冷媒を室外へ排出することが望ましい。しかし、特許文献１に記載された空気調和システムでは、冷媒の漏れについて特に考慮されていない。
【０００５】
本開示は、空気調和機から冷媒漏れが生じたときに空調対象空間外へ短時間に冷媒を排出することができる空気調和システムを提供することを目的とする。
【課題を解決するための手段】
【０００６】
（１）本開示の空気調和システムは、
冷媒との熱交換により調和空気を生成し空調対象空間に供給する空気調和機と、前記冷媒の漏れを検出する冷媒センサと、前記空調対象空間の換気を行う換気装置と、前記換気装置を制御するコントローラと、を備え、
前記換気装置が、熱交換器と、前記空調対象空間の内部と外部とを前記熱交換器を経由して連通させる第１給気風路及び第１排気風路と、前記空調対象空間の内部と外部とを前記熱交換器を経由せずに連通させる第２給気風路と、前記第１給気風路及び前記第２給気風路を介して前記空調対象空間外の空気を前記空調対象空間内に供給する給気ファンと、前記第１排気風路を介して前記空調対象空間内の空気を前記空調対象空間外へ排出させる排気ファンと、前記第１給気風路及び前記第２給気風路を開閉する給気用開閉機構と、を備え、
前記コントローラは、前記冷媒センサが冷媒の漏洩を検出したとき、前記第１給気風路及び前記第２給気風路の双方を開くように前記給気用開閉機構を制御する。
【０００７】
以上のような構成により、空気調和機から冷媒が漏洩し、漏洩した冷媒が冷媒センサで検出された場合に、第１給気風路及び第２給気風路の双方を開くことで、給気の風路を拡大し、換気量を増やすことができる。
【０００８】
（２）好ましくは、前記換気装置が、前記空調対象空間の内部と外部とを前記熱交換器を経由せずに連通させかつ前記排気ファンにより前記空調対象空間内の空気を前記空調対象空間外へ排出させる第２排気風路と、前記第１排気風路及び前記第２排気風路を開閉する排気用開閉機構と、を備え、
前記コントローラは、前記冷媒センサが冷媒の漏洩を検出したとき、前記第１排気風路及び前記第２排気風路の双方を開くように前記排気用開閉機構を制御する。
この構成によれば、空気調和機から冷媒が漏洩し、漏洩した冷媒が冷媒センサで検出された場合に、第１排気風路及び第２排気風路を双方とも開くことで、排気の風路を拡大し、換気量を増やすことができる。
【０００９】
（３）本開示の空気調和システムは、
冷媒との熱交換により調和空気を生成し空調対象空間に供給する空気調和機と、前記冷媒の漏れを検出する冷媒センサと、前記空調対象空間の換気を行う換気装置と、前記換気装置を制御するコントローラと、を備え、
前記換気装置が、熱交換器と、前記空調対象空間の内部と外部とを前記熱交換器を経由して連通させる第１給気風路及び第１排気風路と、前記空調対象空間の内部と外部とを前記熱交換器を経由せずに連通させる第２排気風路と、前記第１給気風路を介して前記空調対象空間外の空気を前記空調対象空間内に供給する給気ファンと、前記第１排気風路及び前記第２排気風路を介して前記空調対象空間内の空気を前記空調対象空間外へ排出する排気ファンと、前記第１排気風路及び前記第２排気風路を開閉する排気用開閉機構と、を備え、
前記コントローラは、前記冷媒センサが冷媒の漏洩を検出したとき、前記第１排気風路及び前記第２排気風路の双方を開くように前記排気用開閉機構を制御する。
【００１０】
以上のような構成により、空気調和機から冷媒が漏洩し、漏洩した冷媒が冷媒センサで検出された場合に、第１排気風路及び第２排気風路を双方とも開くことで、排気の風路を拡大し、換気量を増やすことができる。
【００１１】
（４）好ましくは、前記熱交換器が、全熱交換器である。
【００１２】
（５）好ましくは、前記換気装置が、空気中の水分を吸着する吸着剤を担持する２つの前記熱交換器と、前記各熱交換器を経由する２系統の前記第１給気風路及び２系統の前記第１排気風路と、を備え、
前記コントローラは、前記２系統の第１給気風路を交互に切り換えて開閉するように前記給気用開閉機構を制御する。
【００１３】
（６）好ましくは、前記換気装置が、空気中の水分を吸着する吸着剤を担持する２つの前記熱交換器と、前記各熱交換器を経由する２系統の前記第１給気風路及び２系統の前記第１排気風路と、を備え、
前記コントローラは、前記２系統の第１排気風路を交互に切り換えて開閉するように前記排気用開閉機構を制御する。
【図面の簡単な説明】
【００１４】
【図１】本開示の第１の実施形態に係る空気調和システムの概略的な構成図である。
【図２】第１換気運転を行う換気装置を上から見た概略的な断面説明図である。
【図３】図２のＡ−Ａ線における概略的な断面説明図である。
【図４】図２のＢ−Ｂ線における概略的な断面説明図である。
【図５】全熱交換器の斜視図である。
【図６】第２換気運転を行う換気装置を上から見た概略的な断面説明図である。
【図７】図６のＣ−Ｃ線における概略的な断面説明図である。
【図８】本開示の第２の実施形態に係る空気調和システムの、第２換気運転を行う換気装置を上から見た概略的な断面説明図である。
【図９】本開示の第３の実施形態に係る空気調和システムの、第２換気運転を行う換気装置を上から見た概略的な断面説明図である。
【図１０】本開示の第４の実施形態に係る空気調和システムの、換気装置の概略構造を示す平面図、右側面図、及び左側面図である。
【図１１】３系統の給気風路を流れる空気流及び２系統の排気風路を流れる空気流を簡略的に示す説明図である。
【図１２】換気装置の冷媒回路の構成を示す配管系統図であって、(ａ)は第１の冷凍サイクル動作における冷媒の流れを示し、(ｂ)は第１の冷凍サイクル動作における冷媒の流れを示す。
【図１３】第１換気運転の第１動作について説明するための概略図である。
【図１４】第１換気運転の第２動作について説明するための概略図である。
【図１５】第２換気運転の第１動作について説明するための概略図である。
【図１６】第２換気運転の第２動作について説明するための概略図である。
【図１７】本開示の第５の実施形態に係る空気調和システムの、換気装置の第２換気運転の第１動作について説明するための概略図である。
【図１８】換気装置の第２換気運転の第２動作について説明するための概略図である。
【図１９】本開示の第６の実施形態に係る空気調和システムの、換気装置の第２換気運転の第１動作について説明するための概略図である。
【図２０】換気装置の第２換気運転の第２動作について説明するための概略図である。
【発明を実施するための形態】
【００１５】
以下、添付図面を参照しつつ、本開示の実施形態を詳細に説明する。
［第１実施形態］
図１は、本開示の第１の実施形態に係る空気調和システムの概略的な構成図である。
空気調和システム１０は、空気調和機１１と、換気装置１２とを備えている。空気調和機１１は、室外機２１と室内機２２とを備えている。室内機２２と換気装置１２とは、部屋Ｒの天井裏のスペースＳ３に設置されている。ただし、室内機２２及び換気装置１２は、部屋Ｒの壁、床の上、天井の下等に設置されていてもよい。室内機２２と換気装置１２とは、部屋Ｒの同じ場所に限らず、別々の場所に設置されていてもよい。
【００１６】
（空気調和機の構成）
空気調和機１１は、圧縮機、熱交換器、膨張弁等を含む冷媒回路により蒸気圧縮式の冷凍サイクルを行うことによって、部屋Ｒの内部である室内空間（空調対象空間）Ｓ１の空気の温度を調整する。室外機２１と室内機２２とは冷媒回路を構成する冷媒配管２３で接続されている。室内機２２は、室内空間Ｓ１の空気を取り込み、その空気と冷媒との間で熱交換を行い、温度調整された調和空気を再び室内空間Ｓ１に吹き出すことによって、室内空間Ｓ１の温度を所望に調整する。
【００１７】
室内機２２は、コントローラ２４と、リモートコントローラ２５と、冷媒センサ２６とを備えている。
コントローラ２４（以下、「空調コントローラ」ともいう）は、室内機２２に収容されたファン、電動弁等の動作を制御する。空調コントローラ２４は、例えば、ＣＰＵ等のプロセッサ、ＲＡＭ、ＲＯＭ等のメモリを備えたマイクロコンピュータにより構成される。空調コントローラ２４は、メモリにインストールされたプログラムをプロセッサが実行することによって、所定の機能を発揮する。空調コントローラ２４は、後述する換気装置１２のコントローラ３６にも通信可能に接続されている。なお、空調コントローラ２４は、室外機２１に設けられていてもよいし、室外機２１及び室内機２２の双方に設けられていてもよい。
【００１８】
リモートコントローラ２５は、運転開始／運転停止の操作や、室内の温度、送風の強弱等の動作設定を行うために用いられる。リモートコントローラ２５は、室内機２２の空調コントローラ２４に有線又は無線で通信可能に接続されている。ユーザは、リモートコントローラ２５を使用することによって、遠隔で空気調和機１１を操作することができる。
【００１９】
冷媒センサ２６は、冷媒回路の冷媒配管等から漏洩した冷媒を検知する。冷媒センサ２６の検出信号は、空調コントローラ２４に入力される。冷媒センサ２６は、室内機２２の筐体内に設けられている。ただし、冷媒センサ２６は、室内機２２の筐体外に設けられていてもよい。冷媒センサ２６は、例えば、室内機２２に接続されたリモートコントローラ２５に設けられていてもよい。
【００２０】
（換気装置１２の構成）
換気装置１２は、室内空間Ｓ１の換気を行う。換気装置１２は、空気調和機１１（図１を参照）と連動して、あるいは、単独で運転される。換気装置１２は、ダクト４５ａ〜４５ｄを介して室外空間Ｓ２及び室内空間Ｓ１と接続されている。
【００２１】
図２は、第１換気運転を行う換気装置を上から見た概略的な断面説明図である。図３は、図２のＡ−Ａ線における概略的な断面説明図である。図４は、図２のＢ−Ｂ線における概略的な断面説明図である。なお、本明細書において、「第１換気運転」とは、後述するように、冷媒漏洩がない通常の室内空間Ｓ１の換気運転のことであり、「第２換気運転」とは、冷媒の漏洩に対応した換気運転のことである。
【００２２】
換気装置１２は、略直方体の箱形状を有するケーシング３１を有する。ケーシング３１内には、全熱交換器３２と、排気ファン３３と、給気ファン３４と、開閉機構３５と、コントローラ３６とが収容されている。ケーシング３１には、還気取入口４１、排気吹出口４２、外気取入口４３、及び、給気吹出口４４が設けられている。
【００２３】
還気取入口４１は、室内空間Ｓ１からの空気（還気）ＲＡをケーシング３１内に取り入れるために用いられる。排気吹出口４２は、ケーシング３１内に取り入れられた還気ＲＡを、排気ＥＡとして室外空間Ｓ２に排出するために用いられる。外気取入口４３は、室外空間Ｓ２からの空気（外気）ＯＡをケーシング３１内に取り入れるために用いられる。給気吹出口４４は、ケーシング３１内に取り入れられた外気ＯＡを、給気ＳＡとして室内空間Ｓ１に供給するために用いられる。
【００２４】
図１に示すように、外気取入口４３と排気吹出口４２とは、それぞれダクト４５ａ，４５ｂを介して室外空間Ｓ２に繋がっている。還気取入口４１と給気吹出口４４とは、ダクト４５ｃ，４５ｄを介して室内空間Ｓ１に繋がっている。
【００２５】
図２に示すように、ケーシング３１の内部において、還気取入口４１から取り入れられた還気ＲＡは全熱交換器３２を通過し、排気ＥＡとして排気吹出口４２から室外空間Ｓ２へ排気される。以下、この空気の流れを「第１の空気流Ｆ１」ともいう。
外気取入口４３から取り入れられた外気ＯＡは全熱交換器３２を通過し、給気ＳＡとして給気吹出口４４から室内空間Ｓ１へ供給される。以下、この空気の流れを「第２の空気流Ｆ２」ともいう。
【００２６】
図５は、全熱交換器の斜視図である。
本実施形態における全熱交換器３２は、第１の空気流Ｆ１と、第２の空気流Ｆ２とがほぼ直交するように構成された直交型の全熱交換器である。この全熱交換器３２は、仕切板３２ａと、隔壁板３２ｂとを有している。仕切板３２ａと隔壁板３２ｂとは適宜の接着剤により交互に積層されている。全熱交換器３２は、全体としてほぼ四角柱形状に形成されている。
【００２７】
仕切板３２ａは、伝熱性及び透湿性を有し、平板状に形成されている。仕切板３２ａは、冷媒を透過する性質をも有している。
隔壁板３２ｂは、ほぼ三角形状の断面が連続して形成された波板状に形成されている。隔壁板３２ｂは、隣り合う２枚の仕切板３２ａの間に空気の通路を形成する。隔壁板３２ｂは、仕切板３２ａと隔壁板３２ｂとの積層方向（図５における上下方向）で１枚ごとに９０度角度を変えて積層されている。これにより、１枚の仕切板３２ａを挟んでその両側に、第１の空気流Ｆ１を通すための排気側通路３２ｃと第２の空気流Ｆ２を通すための給気側通路３２ｄとが互いに直交して形成される。排気側通路３２ｃを流れる空気と、給気側通路３２ｄを流れる空気とは、伝熱性及び透湿性を有する仕切板３２ａを介して顕熱及び潜熱の交換（全熱交換）が行われるようになっている。
【００２８】
図２〜図４に示すように、ケーシング３１の内部は、全熱交換器３２によって室内空間Ｓ１側と室外空間Ｓ２側との２つの領域に区画されている。図２及び図３に示すように、ケーシング３１内には、全熱交換器３２よりも第１の空気流Ｆ１の上流側に上流側排気風路４６ａが形成され、全熱交換器３２よりも第１の空気流Ｆ１の下流側に下流側排気風路４６ｂが形成されている。上流側排気風路４６ａと下流側排気風路４６ｂとによって、室内空間Ｓ１（図１参照）と室外空間Ｓ２（図１参照）とを全熱交換器３２を経由して連通させる第１排気風路４６が構成される。
【００２９】
図２及び図４に示すように、ケーシング３１内には、全熱交換器３２よりも第２の空気流Ｆ２の上流側に上流側給気風路４７ａが形成され、全熱交換器３２よりも第２の空気流Ｆ２の下流側に下流側給気風路４７ｂが形成されている。上流側給気風路４７ａと下流側給気風路４７ｂとによって、室内空間Ｓ１と室外空間Ｓ２とを全熱交換器３２を経由して連通させる第１給気風路４７が構成されている。
【００３０】
図３及び図４に示すように、上流側排気風路４６ａと下流側給気風路４７ｂとの間には、区画壁５１が設けられている。下流側排気風路４６ｂと上流側給気風路４７ａとの間には、区画壁５２が設けられている。
【００３１】
図２及び図３に示すように、下流側排気風路４６ｂにおいて、排気吹出口４２の近傍には排気ファン３３が配置されている。この排気ファン３３が駆動されることによって第１の空気流Ｆ１が生成され、室内空間Ｓ１からの還気ＲＡが第１排気風路４６を通り排気ＥＡとして室外空間Ｓ２に排出される。
【００３２】
図２及び図４に示すように、下流側給気風路４７ｂにおいて、給気吹出口４４の近傍には給気ファン３４が配置されている。この給気ファン３４が駆動されることによって第２の空気流Ｆ２が生成され、室外空間Ｓ２の外気ＯＡが第１給気風路４７を通り、給気ＳＡとして室内空間Ｓ１に供給される。
【００３３】
図２に示すように、本実施形態のケーシング３１内には、第２給気風路４８と、開閉機構３５とが設けられている。
第２給気風路４８は、外気取入口４３と給気吹出口４４との間に形成され、両者を連通している。第２給気風路４８と、上流側給気風路４７ａ及び全熱交換器３２とは、隔壁５３によって区画されている。第２給気風路４８は、室内空間Ｓ１と室外空間Ｓ２とを全熱交換器３２を経由せずに連通している。第２給気風路４８の下流側は、下流側給気風路４７ｂと合流している。
【００３４】
開閉機構３５は、第１給気風路４７と第２給気風路４８とを切り替えて開閉する給気用ダンパ（給気用開閉機構）５１を有している。給気用ダンパ５５は、例えば、隔壁５３に揺動自在に取り付けられている。給気用ダンパ５５は、図示していないモータによって駆動される。給気用ダンパ５５は、第１給気風路４７を開いて外気取入口４３と連通させ、第２給気風路４８を外気取入口４３に対して閉じる第１態様と、第１給気風路４７と第２給気風路４８との双方を開いて外気取入口４３と連通させる第２態様とを切り替える。
【００３５】
図６は、第２換気運転を行う換気装置を上から見た概略的な断面説明図である。図７は、図６のＣ−Ｃ線における概略的な断面説明図である。
給気用ダンパ５５を第１態様に切り替えたとき、図２に示すように、外気取入口４３から第１給気風路４７を通る第２の空気流Ｆ２と、還気取入口４１から第１排気風路４６を通る第１の空気流Ｆ１とは、ともに全熱交換器３２を通過し、両者の空気の間で顕熱及び潜熱の交換が行われる。給気用ダンパ５５を第２態様に切り替えたとき、図６及び図７に示すように、外気取入口４３から第１給気風路４７を通る第２の空気流Ｆ２と、還気取入口４１から第１排気風路４６を通る第１の空気流Ｆ１とは、ともに全熱交換器３２を通過し、両者の空気の間で顕熱及び潜熱の交換が行われる。外気取入口４３から第２給気風路４８を通る空気流（第３の空気流）Ｆ３と、還気取入口４１から第１排気風路４６を通る第１の空気流Ｆ１との間では熱交換が行われない。
【００３６】
図１に示すように、換気装置１２のコントローラ３６（以下、換気コントローラともいう）は、排気ファン３３、給気ファン３４、及び開閉機構３５（給気用ダンパ５５）の動作を制御する。換気コントローラ３６は、図２に示すように、ケーシング３１が有する制御ボックス３７内に収容されている。換気コントローラ３６は、ＣＰＵ等のプロセッサ、ＲＡＭ、ＲＯＭ等のメモリを備えたマイクロコンピュータ等からなる。換気コントローラ３６は、メモリにインストールされたプログラムをプロセッサが実行することによって、所定の機能を発揮する。換気コントローラ３６は、空気調和機１１の空調コントローラ２４に通信可能に接続されている。
【００３７】
換気コントローラ３６は、排気ファン３３、給気ファン３４、及び開閉機構３５の動作を制御することによって、室内空間Ｓ１の通常の換気のために行う「第１換気運転」と、冷媒漏洩に対応した「第２換気運転」とを切り替えて実行する。
第１換気運転は、図２〜図４に示すように、排気ファン３３及び給気ファン３４を駆動し、開閉機構３５の給気用ダンパ５５を第１態様に切り替えることによって行う。これにより、室内空間Ｓ１からの還気ＲＡが室外空間Ｓ２に排出されるととともに、室外空間Ｓ２からの外気ＯＡが室内空間Ｓ１に供給され、室内空間Ｓ１の換気が行われる。さらに室内空間Ｓ１からの還気ＲＡと室外空間Ｓ２からの外気ＯＡとの間で顕熱及び潜熱の交換が行われ、室内空間Ｓ１における温度及び湿度の変化を抑制することができる。
【００３８】
冷媒漏洩に対応した第２換気運転は、空気調和機１１における冷媒が漏洩したときに行われる運転である。室内機２２に設けられた冷媒センサ２６が、冷媒の漏洩を検出すると、その検出信号は空調コントローラ２４に入力される。空調コントローラ２４は、冷媒の漏洩が発生したことを示す情報（冷媒漏洩情報）を換気コントローラ３６に送信し、この冷媒漏洩情報に基づいて換気コントローラ３６が、排気ファン３３、給気ファン３４、及び開閉機構３５の動作を制御する。
【００３９】
具体的に、換気コントローラ３６は、冷媒漏洩が発生し、漏洩した冷媒を冷媒センサ２６が検出したときに、排気ファン３３及び給気ファン３４を駆動し、給気用ダンパ５５を第２態様に切り替える。排気ファン３３及び給気ファン３４がすでに駆動されていた場合には、そのまま駆動を継続する。これにより、図６及び図７に示すように、室内空間Ｓ１からの還気ＲＡが第１排気風路４６を通り、全熱交換器３２を経由して室外空間Ｓ２に排出される。室外空間Ｓ２からの外気ＯＡは、第１給気風路４７と第２給気風路４８とを通り、一部が全熱交換器３２を経由し、他の一部が全熱交換器３２を経由せずに室内空間Ｓ１に供給される。
【００４０】
以上のように、本実施形態の換気装置１２は、室内機２２から冷媒が漏洩すると、第１給気風路４７と第２給気風路４８の双方が開いた状態となって給気風路が拡大し、第１換気運転よりも換気量を増大させることができる。したがって、より換気を促進し、室内空間Ｓ１から短時間に冷媒を排出することができる。
【００４１】
［第２の実施形態］
図８は、本開示の第２の実施形態に係る空気調和システムの、第２換気運転を行う換気装置を上から見た概略的な断面説明図である。
本実施形態の換気装置１２は、第１の実施形態における第２給気風路４８に代えて、第２排気風路４９を備えている。第２排気風路４９は、還気取入口４１と排気吹出口４２との間に形成され、両者を連通している。第２排気風路４９と、上流側排気風路４６ａ及び全熱交換器３２とは、隔壁５４によって区画されている。第２排気風路４９の下流側は、下流側排気風路４６ｂと合流している。以上より、第２排気風路４９は、室内空間Ｓ１と室外空間Ｓ２とを全熱交換器３２を経由せずに連通している。
【００４２】
開閉機構３５は、第１排気風路４６と第２排気風路４９とを切り替えて開閉する排気用ダンパ（排気用開閉機構）５６を有している。排気用ダンパ５６は、例えば、隔壁５４に揺動自在に取り付けられている。排気用ダンパ５６は、第１排気風路４６を開いて還気取入口４１と連通させ、かつ第２排気風路４９を還気取入口４１に対して閉じる第１態様と、第１排気風路４６及び第２排気風路４９の双方を開いて還気取入口４１と連通させる第２態様とを切り替える。
【００４３】
本実施形態では、通常の第１換気運転を行う場合には、換気コントローラ３６が排気用ダンパ５６を第１態様に切り替える。換気装置１２は、図２〜図４に示す形態で全熱交換器３２において顕熱及び潜熱の交換を行いながら換気を行う。
換気装置１２は、冷媒センサ２６が冷媒の漏洩を検出したときに、図８に示すように、換気コントローラ３６により排気用ダンパ５６を第２態様に切り替え、第２換気運転を行う。この場合、外気取入口４３からケーシング３１内に取り入れられた外気ＯＡは全熱交換器３２を通り、給気吹出口４４から給気ＳＡとして室内に供給される。還気取入口４１からケーシング３１に取り入れられた室内空間Ｓ１からの還気ＲＡは、第１排気風路４６と第２排気風路４９とを通り、一部が全熱交換器３２を経由し、他の一部が全熱交換器３２を経由せずに排気吹出口４２から室外空間Ｓ２に排出される。
【００４４】
したがって、外気取入口４３から第１給気風路４７を通る第２の空気流Ｆ２と、還気取入口４１から第１排気風路４６を通る第１の空気流Ｆ１との間で全熱交換は行われるが、外気取入口４３から第１給気風路４７を通る第２の空気流Ｆ２と、還気取入口４１から第２排気風路４９を通る空気流（第４の空気流）Ｆ４との間で全熱交換は行われない。
【００４５】
本実施形態の換気装置１２は、室内機２２から冷媒が漏洩すると、第１排気風路４６と第２排気風路４９の双方が開いた状態となって排気風路が拡大し、第１換気運転よりも換気量を増大させることができる。したがって、より換気を促進し、室内空間Ｓ１から短時間に冷媒を排出することができる。
【００４６】
［第３の実施形態］
図９は、本開示の第３の実施形態に係る空気調和システムの、第２換気運転を行う換気装置を上から見た概略的な断面説明図である。
本実施形態の換気装置１２は、第１の実施形態で説明した第２給気風路４８と、第２の実施形態で説明した第２排気風路４９との双方を備えている。換気装置１２は、開閉機構３５として、第２給気風路４８に対応する給気用ダンパ５５と、第２排気風路４９に対応する排気用ダンパ５６とを備えている。
【００４７】
本実施形態の換気装置１２は、通常の第１換気運転を行う場合には、各ダンパ５５，５６を第１態様に切り替え、図２〜図４に示す形態で全熱交換器３２において顕熱及び潜熱の交換を行いながら換気を行う。
冷媒センサ２６によって冷媒の漏洩が検出されたとき、換気装置１２は、図９に示すように、換気コントローラ３６により各ダンパ５５，５６を第２態様に切り替えて第２換気運転を行う。この場合、外気取入口４３からケーシング３１内に取り入れられた外気ＯＡは、第１給気風路４７及び第２給気風路４８を通って室内空間Ｓ１に供給され、還気取入口４１からケーシング３１内に取り入れられた還気ＲＡは、第１排気風路４６及び第２排気風路４９を通って室外空間Ｓ２に排出される。
【００４８】
本実施形態の換気装置１２は、室内機２２から冷媒が漏洩すると、給気風路と排気風路との双方が拡大され、第１換気運転よりも換気量を増大させることができる。したがって、より換気を促進し、室内空間Ｓ１から短時間に冷媒を排出することができる。
【００４９】
［第４の実施形態］
図１０は、本開示の第４の実施形態に係る空気調和システムの、換気装置の概略構造を示す平面図、右側面図、及び左側面図である。
本実施形態の換気装置１２は、ケーシング５８と、開閉機構３５と、コントローラ３６（図１参照）と、冷媒回路６１（図１２参照）とを備えている。
【００５０】
（ケーシングの構成）
ケーシング５８は、平面形状が矩形状で扁平な直方体の箱形に形成されている。具体的に、ケーシング５８は、底板５８ｅと、天板５８ｆと、４枚の側板（第１〜第４側板）５８ａ〜５８ｄとを備えている。これら底板５８ｅ、天板５８ｆ、及び側板５８ａ〜５８ｄによって囲まれた空間内に冷媒回路６１の一部や開閉機構３５等が収容されている。なお、以下の説明においては、図２の平面図における下側を前、上側を後、左側を左、右側を右として説明する。ケーシング５８の４枚の側板５８ａ〜５８ｄのうち、前側に配置された側板５８ａを第１側板、後側に配置された側板５８ｂを第２側板、左側に配置された側板５８ｃを第３側板、右側に配置された側板５８ｄを第４側板ともいう。
【００５１】
ケーシング５８の第２側板５８ｂには、還気取入口４１と、外気取入口４３とが形成されている。ケーシング５８の第３側板５８ｃには、排気吹出口４２が形成され、第４側板５８ｄには、給気吹出口４４が形成されている。還気取入口４１は、室内空間Ｓ１からの空気（還気）ＲＡをケーシング５８内に取り入れるために用いられる。排気吹出口４２は、ケーシング５８内に取り入れられた還気ＲＡを、排気ＥＡとして室外空間Ｓ２に排出するために用いられる。外気取入口４３は、室外空間Ｓ２からの空気（外気）ＯＡをケーシング５８内に取り入れるために用いられる。給気吹出口４４は、ケーシング５８内に取り入れられた外気ＯＡを、給気ＳＡとして室内空間Ｓ１に供給するために用いられる。
【００５２】
図１に示すように、外気取入口４３と排気吹出口４２とは、それぞれダクト４５ａ，４５ｂを介して室外空間Ｓ２に繋がっている。還気取入口４１と給気吹出口４４とは、ダクト４５ｃ，４５ｄを介して室内空間Ｓ１に繋がっている。
【００５３】
図１０に示すように、ケーシング５８の内部は、第１調湿室６２、第２調湿室６３、還気側通路６４、外気側通路６５、給気側通路６６、排気側通路６７、給気ファン室６８、排気ファン室６９、及び給気側バイパス通路９３に区画されている。
【００５４】
ケーシング５８内における第１側板５８ａと第２側板５８ｂとの間には、これらの側板５８ａ，５８ｂと平行に第１区画壁７０ａと第２区画壁７０ｂとが前後に並べて配置されている。第２側板５８ｂと第１区画壁７０ａとの間の空間は、第３区画壁７０ｃによって上下に区画され、上段側に還気側通路６４が形成され、下段側に外気側通路６５が形成されている。
【００５５】
第１区画壁７０ａと第２区画壁７０ｂとの間には、第１調湿室６２と第２調湿室６３とが設けられている。第１調湿室６２と第２調湿室６３とは、第４区画壁７０ｄによって左右に区画されている。第１調湿室６２には、後述する第１熱交換器８６が配置されている。第２調湿室６３には、後述する第２熱交換器８９が配置されている。
【００５６】
第２区画壁７０ｂのさらに前側には、第５区画壁７０ｅが設けられている。第２区画壁７０ｂと第５区画壁７０ｅとの間の空間は、第６区画壁７０ｆによって上下に区画され、上段側に給気側通路６６が形成され、下段側に排気側通路６７が形成されている。
給気側通路６６及び排気側通路６７の前側には、給気ファン室６８及び排気ファン室６９が設けられている。給気ファン室６８と排気ファン室６９とは、第７区画壁７０ｇによって左右に区画されている。
【００５７】
給気ファン室６８は、給気側通路６６と連通し、排気ファン室６９は、排気側通路６７と連通している。給気ファン室６８には、給気ファン３４が配置されている。排気ファン室６９には、排気ファン３３が配置されている。給気ファン室６８を形成する第４側板５８ｄには給気吹出口４４が形成され、排気ファン室６９を形成する第３側板５８ｃには排気吹出口４２が形成されている。
【００５８】
第４側板５８ｄの左側には、間隔をあけて第８区画壁７０ｈが第４側板５８ｄと平行に設けられている。第８区画壁７０ｈは、第１調湿室６２、給気側通路６６、及び排気側通路６７と、第４側板５８ｄとの間に給気側バイパス通路９３を形成する。給気側バイパス通路９３の後端は、外気側通路６５と連通している。
【００５９】
ケーシング５８は、「第１給気風路」と「第１排気風路」とを有する。
第１給気風路は、外気取入口４３から外気側通路６５、第１又は第２調湿室６２，６３、給気側通路６６、及び給気ファン室６８を通って給気吹出口４４に到るまでの空気の流路である。この第１給気風路には、第１調湿室６２を通るものと、第２調湿室６３を通るものとの２系統がある。給気ファン３４が作動すると、各第１給気風路において空気流が生成される。
【００６０】
第１排気風路は、還気取入口４１から還気側通路６４、第１又は第２調湿室６２，６３、排気側通路６７、及び排気ファン室６９を通って排気吹出口４２に到るまでの空気の流路である。第１排気風路には、第１調湿室６２を通るものと、第２調湿室６３を通るものとの２系統がある。排気ファン３３が作動すると、各排気風路において空気流が生成される。
【００６１】
ケーシング５８は、「第２給気風路」をさらに有する。第２給気風路は、外気取入口４３から外気側通路６５、給気側バイパス通路９３、及び給気ファン室６８を通って給気吹出口４４に到る空気の流路である。第２給気風路を含めると、ケーシング５８は、３系統の給気風路を有する。
【００６２】
第１給気風路及び第２給気風路は、後述する給気用の開閉機構８３によって形成される。２系統の第１給気風路は、給気用の開閉機構８３によって交互に切り替えて開閉される。
第１排気風路は、後述する排気用の開閉機構８４によって形成される。２系統の排気風路は、排気用の開閉機構８４によって交互に切り替えて開閉される。
【００６３】
なお、２系統の第１給気風路又は第１排気風路が「交互に切り替えて開閉される」とは、いずれか１つが開くと一方の風路が開くと他方の風路が閉じる動作が交互に行われることをいう。この動作を実現するため、給気用開閉機構８３及び排気用開閉機構８４がコントローラ３６によって制御される。
【００６４】
（開閉機構の構成）
以下、開閉機構３５について詳細に説明する。
開閉機構３５は、給気用開閉機構８３と、排気用開閉機構８４とからなる。開閉機構３５は、ケーシング５８の第１区画壁７０ａ、第２区画壁７０ｂ、及び第５区画壁７０ｅに設けられた複数のダンパ７１〜７９を有している。
【００６５】
第１区画壁７０ａには、４つの開閉式のダンパ７１〜７４が設けられている。各ダンパ７１〜７４は、横長の長方形の板状に形成されている。
第１区画壁７０ａのうち還気側通路６４に面する上段側には、第４区画壁７０ｄよりも右側に第１還気ダンパ７１が設けられ、第４区画壁７０ｄよりも左側に第２還気ダンパ７２が設けられる。
【００６６】
第１還気ダンパ７１を開くと、還気側通路６４と第１調湿室６２とが連通される。第１還気ダンパ７１を閉じると、還気側通路６４と第１調湿室６２が遮断される。
第２還気ダンパ７２を開くと、還気側通路６４と第２調湿室６３とが連通される。第２還気ダンパ７２を閉じると、還気側通路６４と第２調湿室６３とが遮断される。
【００６７】
第１区画壁７０ａのうち外気側通路６５に面する下段側には、第４区画壁７０ｄよりも右側に第１外気ダンパ７３が設けられ、第４区画壁７０ｄよりも左側に第２外気ダンパ７４が設けられる。
第１外気ダンパ７３を開くと、外気側通路６５と第１調湿室６２とが連通される。第１外気ダンパ７３を閉じると、外気側通路６５と第１調湿室６２とが遮断される。
第２外気ダンパ７４を開くと、外気側通路６５と第２調湿室６３とが連通される。第２外気ダンパ７４を閉じると、外気側通路６５と第２調湿室６３とが遮断される。
【００６８】
第２区画壁７０ｂには、４つの開閉式のダンパ７５〜７８が設けられている。各ダンパ７５〜７８は、横長の長方形の板状に形成されている。
第２区画壁７０ｂのうち給気側通路６６に面する上段側には、第４区画壁７０ｄよりも右側に第１給気ダンパ７５が設けられ、第４区画壁７０ｄよりも左側に第２給気ダンパ７６が設けられる。
【００６９】
第１給気ダンパ７５を開くと、給気側通路６６と第１調湿室６２とが連通される。第１給気ダンパ７５を閉じると、給気側通路６６と第１調湿室６２とが遮断される。
第２給気ダンパ７６を開くと、給気側通路６６と第２調湿室６３とが連通される。第２給気ダンパ７６を閉じると、給気側通路６６と第２調湿室６３とが遮断される。
【００７０】
第２区画壁７０ｂのうち排気側通路６７に面する下段側には、第４区画壁７０ｄよりも右側に第１排気ダンパ７７が取り付けられ、第４区画壁７０ｄよりも左側に第２排気ダンパ７８が取り付けられる。
第１排気ダンパ７７を開くと、排気側通路６７と第１調湿室６２とが連通される。第１排気ダンパ７７を閉じると、排気側通路６７と第１調湿室６２とが遮断される。
第２排気ダンパ７８を開くと、排気側通路６７と第２調湿室６３とが連通される。第２排気ダンパ７８を閉じると、排気側通路６７と第２調湿室６３とが遮断される。
【００７１】
第５区画壁７０ｅの右端には、第３給気ダンパ７９が設けられている。第３給気ダンパ７９を開くと、給気側バイパス通路９３と給気ファン室６８とが連通される。第３給気ダンパ７９を閉じると、給気側バイパス通路９３と給気ファン室６８とが遮断される。
【００７２】
図１１は、２系統の第１給気風路及び第２給気風路を流れる空気流、並びに２系統の排気風路を流れる空気流を、簡略的に示す説明図である。
第１及び第２外気ダンパ７３，７４、並びに、第１〜第３給気ダンパ７５，７６，７９は、給気用開閉機構８３を構成している。第１及び第２還気ダンパ７１，７２、並びに、第１及び第２排気ダンパ７７，７８は、排気用開閉機構８４を構成している。
【００７３】
２系統の第１給気風路及び第２給気風路は、それぞれ次のダンパの動作により開かれる。
第１系統の第１給気風路：第１外気ダンパ７３及び第１給気ダンパ７５の開動作
第２系統の第１給気風路：第２外気ダンパ７４及び第２給気ダンパ７６の開動作
第２給気風路：第３給気ダンパ７９の開動作
図１１には、第１系統の第１給気風路を流れる空気流を符号Ｆａ１で示し、第２系統の第１給気風路を流れる空気流をＦａ２で示し、第２給気風路を流れる空気流をＦａ３で示す。
【００７４】
２系統の第１排気風路は、それぞれ次のダンパの動作により開かれる。
第１系統の第１排気風路：第１還気ダンパ７１及び第１排気ダンパ７７の開動作
第２系統の第１排気風路：第２還気ダンパ７２及び第２排気ダンパ７８の開動作
図１１には、第１系統の第１排気風路を流れる空気流を符号Ｆｂ１で示し、第２系統の第１排気風路を流れる空気流をＦｂ２で示す。
【００７５】
（冷媒回路の構成）
図１２は、換気装置の冷媒回路を示す配管系統図である。
冷媒回路６１は、第１熱交換器８６、四路切換弁８７（切換機構）、圧縮機８８、第２熱交換器８９、及び電動膨張弁９０（膨張機構）を冷媒配管９１によって接続したものである。冷媒回路６１は、冷媒を循環させることによって蒸気圧縮式の冷凍サイクルを実行するように構成されている。圧縮機８８、四路切換弁８７等は給気ファン室６８に配置されている。
【００７６】
圧縮機８８は、その吐出側が四路切換弁８７の第１のポートに接続され、その吸入側が四路切換弁８７の第２のポートに接続されている。第１熱交換器８６の一端は、四路切換弁８７の第３のポートに接続されている。第１熱交換器８６の他端は、電動膨張弁９０に接続されている。第２熱交換器８９の一端は、四路切換弁８７の第４のポートに接続されている。第２熱交換器８９の他端は、電動膨張弁９０に接続されている。図２に示すように、第１熱交換器８６は、第１調湿室６２に配置され、第２熱交換器８９は、第２調湿室６３に配置されている。
【００７７】
圧縮機８８は、いわゆる全密閉型であり、インバータによって回転数が制御される容量可変型の圧縮機とされている。
第１熱交換器８６及び第２熱交換器８９は、いずれも、伝熱管と多数のフィンとを備えた、いわゆるクロスフィン型のフィン・アンド・チューブ式熱交換器により構成されている。第１熱交換器８６及び第２熱交換器８９の外表面には、その概ね全面に亘ってゼオライト等の吸着剤が担持されている。第１熱交換器８６及び第２熱交換器８９は、マイクロチャネル型の熱交換器であってもよい。
【００７８】
四路切換弁８７は、第１のポートと第３のポートとが連通しかつ第２のポートと第４のポートが連通する状態（図１２（ａ）参照）と、第１のポートと第４のポートが連通しかつ第２のポートと第３のポートが連通する状態（図１２（ｂ）参照）とに切り換え可能に構成されている。冷媒回路６１は、四路切換弁８７のポートの連通状態を切り換えることにより、冷媒循環方向を反転させる。冷媒循環方向の反転により、第１熱交換器８６が凝縮器として機能し、第２熱交換器８９が蒸発器として機能する第１の冷凍サイクル動作と、第１熱交換器８６が蒸発器として機能し、第２熱交換器８９が凝縮器として機能する第２の冷凍サイクル動作とが行われる。
【００７９】
（コントローラの構成）
図１に示すように、換気装置１２のコントローラ３６（以下、換気コントローラともいう）は、排気ファン３３、給気ファン３４、冷媒回路６１（圧縮機８８、四路切換弁８７、膨張弁９０等；図１２参照）、及び開閉機構３５の動作を制御する。換気コントローラ３６は、ＣＰＵ等のプロセッサ、ＲＡＭ、ＲＯＭ等のメモリを備えたマイクロコンピュータ等からなる。換気コントローラ３６は、メモリにインストールされたプログラムをプロセッサが実行することによって、所定の機能を発揮する。換気コントローラ３６は、空気調和機１１の空調コントローラ２４に通信可能に接続されている。
【００８０】
（換気運転の詳細）
換気コントローラ３６は、排気ファン３３、給気ファン３４、冷媒回路６１、及び開閉機構３５の動作を制御することによって、室内空間Ｓ１の通常の換気のために行う「第１換気運転」と、冷媒漏洩に対応した「第２換気運転」とを切り替えて実行する。
【００８１】
＜第１換気運転＞
第１換気運転には、室内の除湿を行いながら換気を行う除湿換気運転と、室内の加湿を行いながら換気を行う加湿換気運転とが含まれる。
第１換気運転では、給気ファン３４と排気ファン３３とが駆動される。これにより、室外空間Ｓ２からの外気ＯＡが、外気取入口４３を通過してケーシング５８内に取り入れられ、室内空間Ｓ１からの還気ＲＡが還気取入口４１を通過してケーシング５８内に取り入れられる。
【００８２】
第１及び第２熱交換器８６，８９は、凝縮器と蒸発器とに交互に切り換えられる。第１換気運転では、ケーシング５８内に取り込まれた外気ＯＡが第１調湿室６２の第１熱交換器８６及び第２調湿室６３の第２熱交換器８９のうち一方の熱交換器を通過して室内に供給され、ケーシング５８内に取り込まれた還気ＲＡが第１熱交換器８６及び第２熱交換器８９のうち他方の熱交換器を通過して室外に排出されるように、ケーシング５８内における空気の流れが切り換えられる。具体的には、次の第１動作と第２動作とが３分間ずつ交互に繰り返し行われる。
【００８３】
（第１換気運転の第１動作）
第１換気運転の第１動作では、ケーシング５８内における第１及び第２給気風路、並びに、第１排気風路が図１３に示すように設定される。具体的には、第２還気ダンパ７２と第１外気ダンパ７３と第１給気ダンパ７５と第２排気ダンパ７８が開状態となり、第１還気ダンパ７１と第２外気ダンパ７４と第２給気ダンパ７６と第１排気ダンパ７７と第３給気ダンパ７９とが閉状態となる。なお、図１３において、閉状態のダンパにはハッチングが付されている。
【００８４】
これにより、ケーシング５８内に、第１系統の第１給気風路と第２系統の第１排気風路とが形成され、ケーシング５８内に取り込まれた外気ＯＡが第１熱交換器８６を通過して室内に供給され、ケーシング５８内に取り込まれた還気ＲＡが第２熱交換器８９を通過して室外に排出される。
【００８５】
この第１動作の間、除湿換気運転の場合は、図１２（ｂ）に示すように、冷媒回路６１において第２冷凍サイクル動作が行われる。加湿換気運転の場合は、図１２（ａ）に示すように、第１冷凍サイクル動作が行われる。
【００８６】
外気取入口４３を通過して外気側通路６５に取り込まれた外気ＯＡは、第１外気ダンパ７３を通過して第１調湿室６２に流入し、第１調湿室６２において第１熱交換器８６を通過して調湿（除湿又は加湿）される。具体的には、除湿換気運転では、外気ＯＡが蒸発器となっている第１熱交換器８６を通過して除湿及び冷却され、加湿換気運転では、外気ＯＡが凝縮器となっている第１熱交換器８６を通過して加湿及び加熱される。第１熱交換器８６において調湿された空気は、第１給気ダンパ７５と給気側通路６６と給気ファン室６８と給気吹出口４４とを順に通過して室内空間Ｓ１に供給される。
【００８７】
還気取入口４１を通過して還気側通路６４に取り込まれた還気ＲＡは、第２還気ダンパ７２を通過して第２調湿室６３に流入し、第２調湿室６３において第２熱交換器８９を通過して調湿（加湿又は除湿）される。具体的には、除湿換気運転では、還気ＲＡが凝縮器となっている第２熱交換器８９を通過して加湿及び加熱され、加湿換気運転では、還気ＲＡが蒸発器となっている第２熱交換器８９を通過して除湿及び冷却される。第２熱交換器８９において調湿された空気は、第２排気ダンパ７８と排気側通路６７と排気ファン室６９と排気吹出口４２とを順に通過して室外に排出される。
【００８８】
（第１換気運転の第２動作）
第１換気運転の第２動作では、ケーシング５８内における第１及び第２給気風路、並びに、第１排気風路が図１４に示すように設定される。具体的には、第１還気ダンパ７１と第２外気ダンパ７４と第２給気ダンパ７６と第１排気ダンパ７７が開状態となり、第２還気ダンパ７２と第１外気ダンパ７３と第１給気ダンパ７５と第２排気ダンパ７８と第３給気ダンパ７９とが閉状態となる。これにより、ケーシング５８内に、第２系統の第１給気風路と第１系統の第１排気風路とが形成され、ケーシング５８内に取り込まれた外気ＯＡが第２熱交換器８９を通過して室内に供給され、ケーシング５８内に取り込まれた還気ＲＡが第１熱交換器８６を通過して室外に排出される。
【００８９】
この第２動作の間、除湿換気運転の場合は、図１２（ａ）に示すように、冷媒回路６１において第１冷凍サイクル動作が行われる。加湿換気運転の場合は、図１２（ｂ）に示すように、第２冷凍サイクル動作が行われる。
【００９０】
外気取入口４３を通過して外気側通路６５に取り込まれた外気ＯＡは、第２外気ダンパ７４を通過して第２調湿室６３に流入し、第２調湿室６３において第２熱交換器８９を通過して調湿（除湿又は加湿）される。具体的には、除湿換気運転では、外気ＯＡが蒸発器となっている第２熱交換器８９を通過して除湿及び冷却され、加湿換気運転では、外気ＯＡが凝縮器となっている第２熱交換器８９を通過して加湿及び加熱される。第２熱交換器８９において調湿された空気は、第２給気ダンパ７６と給気側通路６６と給気ファン室６８と給気吹出口４４とを順に通過して室内空間Ｓ１に供給される。
【００９１】
還気取入口４１を通過して還気側通路６４に取り込まれた還気ＲＡは、第１還気ダンパ７１を通過して第１調湿室６２に流入し、第１調湿室６２において第１熱交換器８６を通過して調湿（加湿又は除湿）される。具体的には、除湿換気運転では、還気ＲＡが凝縮器となっている第１熱交換器８６を通過して加湿及び加熱され、加湿換気運転では、還気ＲＡが蒸発器となっている第１熱交換器８６を通過して除湿及び冷却される。第１熱交換器８６において調湿された空気は、第１排気ダンパ７７と排気側通路６７と排気ファン室６９と排気吹出口４２とを順に通過して室外に排出される。
【００９２】
＜第２換気運転＞
冷媒漏洩に対応した第２換気運転は、空気調和機１１における冷媒が漏洩し、漏洩した冷媒を冷媒センサ２６が検出したときに行われる運転である。図１に示すように、室内機２２に設けられた冷媒センサ２６が、漏洩した冷媒を検出すると、その検出信号は空調コントローラ２４に入力される。空調コントローラ２４は、冷媒の漏洩が発生したことを示す情報（冷媒漏洩情報）を換気コントローラ３６に送信し、この冷媒漏洩情報に基づいて換気コントローラ３６が、排気ファン３３、給気ファン３４、及び開閉機構３５の動作を制御する。
【００９３】
図１５は、第２換気運転の第１動作について説明するための概略図である。図１６は、第２換気運転の第２動作について説明するための概略図である。
第２換気運転では、第１換気運転と同様に「第１動作」と「第２動作」とが行われる。第２換気運転の第１動作は、第１換気運転の第１動作に加え、第２給気風路を用いた給気をも行う動作である。第２換気運転の第２動作は、第１換気運転の第２動作に加え、第２給気風路を用いた給気をも行う動作である。
【００９４】
第２換気運転を行う場合、換気コントローラ３６は、第３給気ダンパ７９を常時開状態とする。これにより、第２換気運転中は、第２給気風路が開いた状態となる。そのため、給気ファン３４の作動により、第１系統又は第２系統の第１給気風路を経た室内空間Ｓ１への給気ＳＡに加え、第２給気風路を経た室内空間Ｓ１への給気ＳＡが行われる。このように第１及び第２給気風路の双方が開いた状態となることによって全体の給気風路が拡大され、第１換気運転よりも換気量を増大させることができる。そのため、室内空間Ｓ１から短時間に冷媒を排出することができる。
【００９５】
［第５の実施形態］
図１７は、本開示の第５の実施形態に係る空気調和システムの、換気装置の第２換気運転の第１動作について説明するための概略図である。図１８は、換気装置の第２換気運転の第２動作について説明するための概略図である。
本実施形態の換気装置１２では、ケーシング５８の内部に、第４の実施形態で説明した給気側バイパス通路９３が設けられておらず、その代わりに、排気側バイパス通路９４が設けられている。
【００９６】
ケーシング５８の内部には、第３側板５８ｃの右側に間隔をあけて第３側板５８ｃと平行に第９区画壁７０ｉが設けられている。第９区画壁７０ｉは、還気側通路６４、外気側通路６５、第２調湿室６３、給気側通路６６、及び排気側通路６７と、第３側板５８ｃとの間に排気側バイパス通路９４を形成する。排気側バイパス通路９４の後端は、還気側通路６４と連通している。
【００９７】
ケーシング５８は、第４の実施形態における「第２給気風路」に代えて、「第２排気風路」を有する。第２排気風路は、還気取入口４１から還気側通路６４、排気側バイパス通路９４、排気ファン室６９を通って排気吹出口４２に到る空気の流路である。第２排気風路を含めると、ケーシング５８は、３系統の排気風路を有する。
【００９８】
本実施形態の開閉機構３５は、第４の実施形態の第３給気ダンパ７９に代えて、第５区画壁７０ｅの左端に、第３排気ダンパ８０を備えている。第３排気ダンパ８０は、排気用開閉機構８４を構成している。第３排気ダンパ８０を開くと、排気側バイパス通路９４と排気ファン室６９とが連通され、第２排気風路が開かれる。第３排気ダンパ８０を閉じると、排気側バイパス通路９４と排気ファン室６９とが遮断される。
【００９９】
本実施形態において、換気装置１２の第１換気運転は、第４の実施形態と同様に行われる。
本実施形態において、換気装置１２の第２換気運転は、第１換気運転と同様に「第１動作」と「第２動作」とが行われる。第２換気運転の第１動作は、第１換気運転の第１動作に加え、第２排気風路を用いた排気をも行う動作である。第２換気運転の第２動作は、第１換気運転の第２動作に加え、第２排気風路を用いた排気をも行う動作である。
【０１００】
第２換気運転を行う場合、換気コントローラ３６は、常時、第３排気ダンパ８０を開状態とする。これにより、第２換気運転中は、第２排気風路が開いた状態となる。そのため、排気ファン３３の作動により、第１系統又は第２系統の第１排気風路を経た室外空間Ｓ２への排気ＥＡに加え、第２排気風路を経た室外空間Ｓ２への排気ＥＡが行われる。このように第１及び第２排気風路の双方が開いた状態となることによって全体の排気風路が拡大され、第１換気運転よりも換気量を増大させることができる。そのため、室内空間Ｓ１から短時間に冷媒を排出することができる。
【０１０１】
［第６の実施形態］
図１９は、本開示の第６の実施形態に係る空気調和システムの、換気装置の第２換気運転の第１動作について説明するための概略図である。図２０は、換気装置の第２換気運転の第２動作について説明するための概略図である。
本実施形態の換気装置１２では、ケーシング５８の内部に、第４の実施形態で説明した給気側バイパス通路９３及び第３給気ダンパ７９と、第５の実施形態で説明した排気側バイパス通路９４及び第３排気ダンパ８０とが設けられている。ケーシング５８は、第４の実施形態で説明した第２給気風路と、第５の実施形態で説明した第２排気風路とを有する。
【０１０２】
本実施形態において、換気装置１２の第１換気運転は、第４の実施形態と同様に行われる。
本実施形態において、換気装置１２の第２換気運転は、第１換気運転と同様に「第１動作」と「第２動作」とが行われる。第２換気運転の第１動作は、第１換気運転の第１動作に加え、第２給気風路を用いた給気及び第２排気風路を用いた排気をも行う動作である。第２換気運転の第２動作は、第１換気運転の第２動作に加え、第２給気風路を用いた給気及び第２排気風路を用いた排気をも行う動作である。
【０１０３】
第２換気運転を行う場合、換気コントローラ３６は、常時、第３給気ダンパ７９及び第３排気ダンパ８０を開状態とする。これにより、第２換気運転中は、第２給気風路と第２排気風路とが開いた状態となる。そのため、給気ファン３４の作動により、第１系統又は第２系統の第１給気風路を経た室内空間Ｓ１への給気ＳＡに加え、第２給気風路を経た室内空間Ｓ１への給気ＳＡが行われる。排気ファン３３の作動により、第１系統又は第２系統の第１排気風路を経た室外空間Ｓ２への排気ＥＡに加え、第２排気風路を経た室外空間Ｓ２への排気ＥＡが行われる。このように第１及び第２給気風路、並びに、第１及び第２排気風路の双方が開いた状態となることによって全体の給気風路及び排気風路が拡大され、第１換気運転よりも換気量を増大させることができる。そのため、室内空間Ｓ１から短時間に冷媒を排出することができる。
【０１０４】
［実施形態の作用効果］
上述した第１、第３、第４、及び第６の実施形態における空気調和システム１０は、冷媒との熱交換により調和空気を生成し室内空間Ｓ１（空調対象空間）に供給する空気調和機１１と、冷媒の漏れを検出する冷媒センサ２６と、室内空間Ｓ１の換気を行う換気装置１２と、換気装置１２を制御する換気コントローラ３６とを備える。換気装置１２は、熱交換器３２、８６，８９と、室内空間Ｓ１と室外空間Ｓ２（空調対象空間外）とを熱交換器３２、８６，８９を経由して連通させる第１給気風路及び第１排気風路と、室内空間Ｓ１と室外空間Ｓ２とを熱交換器３２，８６，８９を経由せずに連通させる第２給気風路と、第１給気風路及び第２給気風路を介して室外空間Ｓ２の空気を室内空間Ｓ１に供給する給気ファン３４と、第１排気風路を介して室内空間Ｓ１の空気を室外空間Ｓ２へ排出させる排気ファン３３と、第１給気風路及び第２給気風路を開閉する給気用開閉機構５５、８３と、を備える。換気コントローラ３６は、冷媒センサ２６が冷媒の漏洩を検出したとき、１給気風路及び第２給気風路の双方を開くように給気用開閉機構５５，８３を制御する。
【０１０５】
以上のような構成により、空気調和機１１から冷媒が漏洩し、漏洩した冷媒を冷媒センサ２６が検出したときに、第１給気風路及び第２給気風路の双方が開くことで、給気の風路を拡大し、換気量を増やすことができる。したがって、室外空間Ｓ２へ短時間に冷媒を排出することができる。
【０１０６】
上述した第３及び第６の実施形態における空気調和システム１０では、換気装置１２が、室内空間Ｓ１と室外空間Ｓ２とを熱交換器３２，８６，８９を経由せずに連通させかつ排気ファン３３により室内空間Ｓ１の空気を室外空間Ｓ２へ排出させる第２排気風路と、第１排気風路及び第２排気風路を開閉する排気用開閉機構５６，８４と、をさらに備え、換気コントローラ３６が、冷媒センサ２６が冷媒の漏洩を検出したとき、第１排気風路及び第２排気風路の双方を開くように排気用開閉機構５６，８４を制御する。
このような構成により、空気調和機１１から冷媒が漏洩し、漏洩した冷媒を冷媒センサ２６が検出したときに、第１排気風路及び第２排気風路の双方が開くことで、排気の風路を拡大し、換気量をさらに増やすことができる。
【０１０７】
上述した第２、第３、第５、及び第６の実施形態における空気調和システム１０は、冷媒との熱交換により調和空気を生成し室内空間Ｓ１に供給する空気調和機１１と、冷媒の漏れを検出する冷媒センサ２６と、室内空間Ｓ１の換気を行う換気装置１２と、換気装置１２を制御する換気コントローラ３６と、を備える。換気装置１２は、熱交換器３２，８６，８９と、室内空間Ｓ１と室外空間Ｓ２とを熱交換器３２，８６，８９を経由して連通させる第１給気風路及び第１排気風路と、室内空間Ｓ１と室外空間Ｓ２とを熱交換器３２，８６，８９を経由せずに連通させる第２排気風路と、第１給気風路を介して室外空間Ｓ２の空気を室内空間Ｓ１に供給する給気ファン３４と、第１排気風路及び第２排気風路を介して室内空間Ｓ１の空気を室外空間Ｓ２へ排出する排気ファン３３と、第１排気風路及び第２排気風路を開閉する排気用開閉機構５６，８４と、を備える。換気コントローラ３６は、冷媒センサ２６が冷媒の漏洩を検出したとき、第１排気風路及び第２排気風路の双方を開くように排気用開閉機構５６，８４を制御する。
【０１０８】
以上のような構成により、空気調和機１１から冷媒が漏洩し、漏洩した冷媒を冷媒センサ２６が検出したときに、第１排気風路及び第２排気風路の双方が開くことで、排気の風路を拡大し、換気量を増やすことができる。したがって、室外空間Ｓ２へ短時間に冷媒を排出することができる。
【０１０９】
なお、本開示は、以上の例示に限定されるものではなく、特許請求の範囲によって示され、特許請求の範囲と均等の意味及び範囲内でのすべての変更が含まれることが意図される。
例えば、冷媒センサ２６は、換気装置１２に備えられていてもよく、冷媒センサ２６が冷媒の漏れを検出したときに、空気調和機１１からの指示によらずに換気装置１２が単独で第２の換気運転を行ってもよい。
換気装置１２は、空気調和機１１のコントローラ２４によって動作が制御されてもよい。
【符号の説明】
【０１１０】
１０    ：空気調和システム
１１    ：空気調和機
１２    ：換気装置
２６    ：冷媒センサ
３２    ：全熱交換器
３３    ：排気ファン
３４    ：給気ファン
３６    ：換気コントローラ
４６    ：第１排気風路
４７    ：第１給気風路
４８    ：第２給気風路
４９    ：第２排気風路
５５    ：給気用ダンパ（給気用開閉機構）
５６    ：排気用ダンパ（排気用開閉機構）
８３    ：給気用開閉機構
８４    ：排気用開閉機構
８６    ：第１熱交換器
８９    ：第２熱交換器
Ｓ１    ：室内空間
Ｓ２    ：室外空間
【図１】
2020186822.tif 000003
【図２】
2020186822.tif 000004
【図３】
2020186822.tif 000005
【図４】
2020186822.tif 000006
【図５】
2020186822.tif 000007
【図６】
2020186822.tif 000008
【図７】
2020186822.tif 000009
【図８】
2020186822.tif 000010
【図９】
2020186822.tif 000011
【図１０】
2020186822.tif 000012
【図１１】
2020186822.tif 000013
【図１２】
2020186822.tif 000014
【図１３】
2020186822.tif 000015
【図１４】
2020186822.tif 000016
【図１５】
2020186822.tif 000017
【図１６】
2020186822.tif 000018
【図１７】
2020186822.tif 000019
【図１８】
2020186822.tif 000020
【図１９】
2020186822.tif 000021
【図２０】
2020186822.tif 000022